(57)【要約】【課題】操作、移動、配置が極めて容易な磁石付きで調整可能な工作灯を提供する。【解決手段】一端に設けられている磁石１４により磁性材に付着可能な座体１０と、座体１０に回転可能に接合されている回転座２０と、ランプを有する照明管部３０とを備えている。所望の位置にフック座４０を係止することにより工作灯は、吊り下げられた状態で照明を提供し、かつ照明管部３０を回転させることにより良好な照明角度を確保することができる。また、座体１０を磁石１４により例えば車両のエンジン蓋などの磁性部材に付着させ、照明管部３０を回転させることにより照明角度を変えることも可能である。【選択図】図４
0003128190.tif 000002
【実用新案登録請求の範囲】
【請求項１】
磁石付きの調整可能な工作灯であって、
内部に回路板及び電磁セットが設けられているハウジングから構成され、一端に設けられている磁石により磁性のある材料の表面に付着可能な座体と、
前記座体の接合部に回転可能に接合され、上方にスイッチを有する回転座と、
透明な管体を有し、前記管体は内部に照明を提供可能なランプを有し、前記管体の両端にそれぞれ蓋を有し、一端側の蓋は貫通する回転軸により前記照明管部を前記回転座に接合し、他端側の蓋はフック座に接合される照明管部と、
を備える工作灯。
【請求項２】
前記接合部は、前記ハウジングの両側に環状突出部を有し、前記環状突出部は中間に穿孔を有する請求項1に記載の工作灯。
【請求項３】
前記回転座は両側に貫通孔がそれぞれ設けられたボディーを有し、前記貫通孔は内部に突出歯部を有し、二つの前記貫通孔と前記座体の二つの前記穿孔とをボルトが貫通することにより前記座体に回転可能に接合され、
前記回転座の回転角度は、二つの前記突出歯部と二つの前記環状突出部を互いに噛み合わせることにより固定される請求項２に記載の工作灯。
【請求項４】
前記座体は一端に平板部を有し、前記平板部は凹陥部を有し、凹陥部は内部に磁石を有する請求項１に記載の工作灯。
【請求項５】
前記ハウジングは、上方にＤＣジャックを有する請求項１に記載の工作灯。
【請求項６】
前記回転座は、一端に凹陥室を有し、前記凹陥室は内部に通孔を有する請求項１に記載の工作灯。
【請求項７】
前記蓋は、それぞれ中間に穿孔を有し、その一端側の蓋は前記回転軸が貫通することにより前記照明管部を前記回転座の前記凹陥室に接合する請求項６に記載の工作灯。
【請求項８】
前記凹陥室は、内部に突出係止部を有する請求項６に記載の工作灯。
【請求項９】
前記蓋はそれぞれ弧形溝を有し、前記弧形溝は各蓋の中心部を中心として設けられ、前記照明管部は前記回転座に対し回転可能であり、前記突出係止部と前記弧形溝との組合せにより回転角度を制限可能である請求項８に記載の工作灯。
【考案の詳細な説明】
【技術分野】
【０００１】
本考案は、工作の際に使用する補助照明、詳しく言えば簡単に操作可能で移動が容易な磁石付きの調整可能な工作灯に関するものである。
【背景技術】
【０００２】
一般に車両を修理する際、整備士は照明ランプを用意し、作業を開始する時に同時に両手で作業する必要がある。そのため、所定の場所に照明ランプを掛けなければならない。しかし、大多数の工作灯は、掛けられても動揺しやすく不安定である。また、固定されても、調整したりスムーズに回転させたりすることができないため、光線を照射する方向と位置を調整することは容易でない。また多くの工作灯は修理にしか使用できないため、ほかの場所で使用することはあまりできない。従って工作灯の使用範囲は間接的に制限されてしまう。
【０００３】
上述の問題に対し、本考案者は角度を調整可能な工作灯を考案した。その構造は、図７及び図８に示すように、本体１の前方に透明管２を配置し、透明管の内部に反射片３とランプ４を配置するものである。そして、フック部５を加えることにより作業が必要な場所に工作灯を簡単に掛けたり固定したりすることが可能となる。また、透明管２と本体１との間は、回転可能な接合方法により接合されているため、透明管２を回転させることにより照明角度を容易に調整することができるものの、このような設計には改善の余地がまたある。
【考案の開示】
【考案が解決しようとする課題】
【０００４】
本考案の主な目的は、操作、移動、配置が極めて容易な磁石付きで調整可能な工作灯を提供することである。
【課題を解決するための手段】
【０００５】
上述の目的を達成するために、本考案による磁石付きの調整可能な工作灯は、座体と、回転座と、照明管部と、を備える。座体は内部に回路板及び電磁セットを有し、かつ一端に磁石を有する。これにより、座体は磁性のある材料の表面に付着して直立可能である。回転座は座体の接合部に回転可能に接合され、照明管部は透明な管体を有し、管体は内部に照明を提供可能なランプを有し、管体の両端にそれぞれ蓋を有している。一端側の蓋は回転軸の貫通により照明管部を回転座に接合し、他端側の蓋はフック座に接合される。
【考案を実施するための最良の形態】
【０００６】
以下、実施例と図面に基づき、本考案の一実施形態による工作灯の構造、効果及び特徴を説明する。
図１から図４に示すように、本実施形態による磁石付きの調整可能な工作灯は次のものを備える。
座体１０は、内部に回路板１１及び電磁セット１２を有し、所要の電力を提供するハウジングである。座体１０は一端に平板部１３を有し、平板部は凹陥部を有し、凹陥部は内部に磁石１４を有する。これにより、座体１０は平板部１３により磁性のある材料（例えば鉄製の机）の表面に付着して直立可能である。また、座体１０は一端に接合部１５を有する。本実施形態ではハウジングの上にＤＣジャック１６が配置されているため、ＤＣ電源または電池セットの電力を使用可能である。接合部１５はハウジングの両側において環状突出部１７を有し、環状突出部は中間に穿孔１８を有する。
【０００７】
回転座２０は、座体１０の接合部１５に回転可能に接合され、かつ回転座２０は一端に凹陥室２１を有し、凹陥室２１は内部に通孔２２を有する。本実施形態では、回転座２０をＵ型に形成し、そのボディーの両側に貫通孔２３をそれぞれ設け、貫通孔２３の内部に突出歯部２４を配置している。そして、ボルト２５が二つの貫通孔２３と座体１０の二つの穿孔を貫通することにより回転座２０と座体１０とを結合させ、かつ二つの突出歯部２４と二つの環状突出部１７を互いに噛み合わせることにより回転座２０の回転角度を固定する。また、回転座２０の凹陥室２１の中に突出係止部２６を設け、回転座２０の上にスイッチ２７を配置する。
【０００８】
照明管部３０は、細長い透明な管体３１を有し、管体３１は内部に照明を提供可能なランプ３２を有する、ランプ３２は一般の蛍光灯またはＬＥＤランプなどである。管体３１は両端に蓋３３を別々に有し、蓋３３の中間に穿孔３４を有している。そのうちの一端の蓋３３は回転軸３５の貫通により照明管部３０を回転座２０の凹陥室２１に接合し、他端の蓋３３は回転軸３５によりフック座４０に接合される。本実施形態では、照明管部３０の両端の蓋３３はそれぞれ弧形溝３６を有し、弧形溝３６は蓋３３の中心を円心として設けられている。これにより、凹陥室２１内の突出係止部２６は弧形溝３６内に装着される。その結果、回転座２０に対し照明管部３０を回転させ、かつ突出係止部２６と弧形溝３６とを組み合わせることにより、照明管部３０の回転角度は制限可能である。
【０００９】
本考案では、使用の際に一般の修理用の工作灯と同じように所定の位置にフック座を掛けて照明を提供し、かつ照明管部を回転させることにより良好な照明角度を提供可能である。また本考案では、直接座体を鉄板の面、例えば車両のエンジン蓋に付着させ、照明管部を回転させることにより照明角度を変えることも可能である。また、図５及び図６に示すように回転座を回転させて照明位置を調整することにより便利な照明と使用を提供することも可能である。
【図面の簡単な説明】
【００１０】
【図１】本考案の一実施形態による工作灯を示す立体分解図。
【図２】本考案の一実施形態による工作灯を別の角度から見た立体分解図。
【図３】本考案の一実施形態による工作灯の回転座を示す立体分解図。
【図４】本考案の一実施形態による工作灯の外観を示す立体図。
【図５】本考案の一実施形態による工作灯の使用状態を示す模式図。
【図６】本考案の一実施形態による工作灯の他の使用状態を示す模式図。
【図７】従来の工作灯の立体分解図。
【図８】従来の工作灯の断面図。
【符号の説明】
【００１１】
１０：座体、１１：回路板、１２：電池セット、１３：平板部、１４：磁石、１５：接合部、１６：ＤＣジャック、１７：環状突出部、１８：穿孔、２０：回転座、２１：凹陥室、２２：通孔、２３：貫通孔、２４：突出歯部、２５：ボルト、２６：突出係止部、２７：スイッチ、３０：照明管部、３１：管部、３２：ランプ、３３：蓋、３４：穿孔、３５：回転軸、３６：弧形溝
【図１】
0003128190.tif 000003
【図２】
0003128190.tif 000004
【図３】
0003128190.tif 000005
【図４】
0003128190.tif 000006
【図５】
0003128190.tif 000007
【図６】
0003128190.tif 000008
【図７】
0003128190.tif 000009
【図８】
0003128190.tif 000010